(57)【特許請求の範囲】
【請求項１】
底部四隅に補高脚取付部を設けた台本体と、該補高脚取付部に嵌着される所定個の補高脚とからなり、該補高脚は、必要に応じて１個のみ又は２個以上が積み重ねられた状態で該補高脚取付部に嵌着されるとともに、
該台本体の底部には更に該補高脚取付部に所定個の補高脚を取り付けた状態で、残余の補高脚を保持する補高脚保持部が設けられており、
該補高脚は、挿入筒部と、該挿入筒部の下側に拡径形成されている収納筒部と、該収納筒部の下側に更に拡径形成されている脚筒部とからなり、
該挿入筒部の上端には係合フランジが突設されており、該収納筒部の内側上部には該係合フランジが係合する係合スリットが形成されており、該収納筒部の下縁から内側上部には該補高脚の挿入筒部の係合フランジを該係合スリットに導入する縦凹溝が形成されており、上段の補高脚の収納筒部内に下段の補高脚の挿入筒部を挿入して、該挿入筒部の係合フランジを該上段の補高脚の収納筒部の係合スリットに係合するとともに、該上段の補高脚の脚筒部内に該下段の補高脚の収納筒部を嵌着することによって、上段と下段の補高脚が積み重ねられて連結され、
該補高脚取付部は、該補高脚の挿入筒部を挿入するスリーブであり、該スリーブには該補高脚の挿入筒部の係合フランジが係合する係合段部と、該係合フランジを該スリーブ下縁から該係合段部に導く縦凹溝が設けられており、
該補高脚保持部は、スリーブ体又はリング体であり、該補高脚保持部がスリーブ体の場合には該補高脚の挿入筒部の係合フランジが係合する係合段部が設けられており、該補高脚保持部がリング体の場合にはリング体の上縁に該補高脚の挿入筒部の係合フランジが係合されるとともに、該スリーブ体又はリング体には該係合フランジを該スリーブ体又は該リング体の下縁から該係合段部又は該リング体の上縁に導く縦凹溝が設けられている
ことを特徴とする昇降運動用踏み台。
【発明の詳細な説明】
【技術分野】
【０００１】
本発明は、昇降運動に使用する踏み台に関するものであり、より詳しくは、使用者に応じて高さを調整可能にした昇降運動用踏み台に関するものである。
【背景技術】
【０００２】
従来、高齢者の介護予防、肥満者のダイエットなどを目的とし、昇降運動用踏み台を使用した踏み台昇降運動が盛んに行われている。このような昇降運動用踏み台として、例えば特許文献１に記載の昇降運動用踏台は、木製踏台の底面の両端部に直方体状の木製角材片が取り付けられており、該木製角材片の向きを変えて木製踏台に取り付けることによって高さを調整している。また特許文献２に記載の昇降運動用踏台は、積み重ね可能な複数の台からなり、これら台を積み重ねる個数を変えて高さを調整している。また特許文献３に記載の踏み台は、脚部に嵌入しうる高さ調整手段を備えており、該高さ調整手段を必要に応じた個数だけ順次積み重ねて高さを調整している。
【特許文献１】実用新案登録第３０９７９１７号公報
【特許文献２】特開平１０−１９２４４５号公報
【特許文献３】特開平９−３１３６４１号公報
【発明の開示】
【発明が解決しようとする課題】
【０００３】
ところが、上記従来の踏み台においては、高さを調整可能な範囲が狭い、不使用時に収納のためのスペースが嵩む、使用していない高さ調整手段を紛失してしまうという問題がある。
【０００４】
本発明は、このような従来技術に存在する問題点に着目してなされたものである。その目的とするところは、高さを調整可能な範囲を広くしつつも、不使用時における収納スペースが嵩むことなく、また高さ調整に係る部品等の紛失を抑制することができる昇降運動用踏み台を提供することにある。
【課題を解決するための手段】
【０００５】
上記の目的を達成するために、請求項１に記載の昇降運動用踏み台の発明は、底部四隅に補高脚取付部を設けた台本体と、該補高脚取付部に嵌着される所定個の補高脚とからなり、該所定個の補高脚は、必要に応じて１個のみ又は２個以上が積み重ねられた状態で該補高脚取付部に嵌着されるとともに、該台本体の底部には更に該補高脚取付部に所定個の補高脚を取り付けた状態で、残余の補高脚を保持する補高脚保持部が設けられており、該補高脚は、挿入筒部と、該挿入筒部の下側に拡径形成されている収納筒部と、該収納筒部の下側に更に拡径形成されている脚筒部とからなり、該挿入筒部の上端には係合フランジが突設されており、該収納筒部の内側上部には該係合フランジが係合する係合スリットが形成されており、該収納筒部の下縁から内側上部には該補高脚の挿入筒部の係合フランジを該係合スリットに導入する縦凹溝が形成されており、上段の補高脚の収納筒部内に下段の補高脚の挿入筒部を挿入して、該挿入筒部の係合フランジを該上段の補高脚の収納筒部の係合スリットに係合するとともに、該上段の補高脚の脚筒部内に該下段の補高脚の収納筒部を嵌着することによって、上段と下段の補高脚が積み重ねられて連結され、該補高脚取付部は、該補高脚の挿入筒部を挿入するスリーブであり、該スリーブには該補高脚の挿入筒部の係合フランジが係合する係合段部と、該係合フランジを該スリーブ下縁から該係合段部に導く縦凹溝が設けられており、該補高脚保持部は、スリーブ体又はリング体であり、該補高脚保持部がスリーブ体の場合には該補高脚の挿入筒部の係合フランジが係合する係合段部が設けられており、該補高脚保持部がリング体の場合にはリング体の上縁に該補高脚の挿入筒部の係合フランジが係合されるとともに、該スリーブ体又はリング体には該係合フランジを該スリーブ体又は該リング体の下縁から該係合段部又は該リング体の上縁に導く縦凹溝が設けられていることを要旨とする。
上記構成によれば、所定個の補高脚が台本体の補高脚取付部に嵌着されることにより、高さ調整可能な範囲を広くすることができる。また、補高脚の積み重ねによって高さ調整を行うため、踏み台の不使用時に収納スペースが嵩みにくく、さらに使用していない残余の補高脚は、補高脚保持部に保持することができる。このため、残余の補高脚用に別の収納スペースを設ける必要がなく、収納スペースの軽減を図ることができるとともに、残余の補高脚が紛失することを抑制することができる。なお、上記の「補高脚取付部に嵌着される所定個の補高脚」という記載においては、所定個に０個を含むものとする。すなわち、補高脚取付部に嵌着される０個の補高脚とは、該台本体の該補高脚取付部に該補高脚を取り付けない状態を指している。
【０００６】
更に、高さ調整のために補高脚同士を連結する場合、一方の係合フランジが他方の係合スリットに係合するため、補高脚同士をしっかりと連結することができる。また、係合フランジを係合スリットに導入する縦凹溝が形成されているため、補高脚同士の連結を簡易に行うことができる。また、補高脚取付部には、補高脚の係合フランジが係合する係合段部と、該係合フランジを該係合段部に導く縦凹溝が設けられているため、台本体に補高脚を簡易かつしっかりと連結することができる。また、補高脚保持部をスリーブ体又はリング体とし、スリーブ体の係合段部又は該リング体の上縁に係合フランジが係合され、さらに該係合フランジを該係合段部又は該リング体の上縁に導く縦凹溝を設けたことにより、台本体に残余の補高脚を簡易かつしっかりと保持することができるため、補高脚を台本体に保持したまま、昇降運動用踏み台を使用して踏み台運動を行うことができる。
【発明の効果】
【０００７】
本発明によれば、高さを調整可能な範囲を広くしつつも、不使用時における収納スペースが嵩むことなく、また高さ調整に係る部品等の紛失を抑制することができる。
【発明を実施するための最良の形態】
【０００８】
以下、本発明の昇降運動用踏み台を具体化した一実施形態について説明する。
図１に示すように、昇降運動用踏み台１０（以下、「踏み台１０」と略して記載する）は、長板状をなす台本体１１と、該台本体１１の四隅に取り付けられた複数の補高脚１２とからなる。  図２に示すように、台本体１１は、足を載せる踏み板１１ａと、該踏み板１１ａの下面周縁に立設された周壁１１ｂとを備える浅皿状に形成されている。該台本体１１の底部四隅には、第１取付筒１３がそれぞれ設けられており、該第１取付筒１３内にスリーブ１４が固定されることにより、上記補高脚１２を該台本体１１に取り付けるための補高脚取付部１５が形成されている。また、該踏み板１１ａの下面には、複数の補強梁１６が突設されており、これら補強梁１６は台本体１１を補強している。これら補強梁１６の間には、スリーブ体１７がそれぞれ設けられており、該スリーブ体１７によって補高脚保持部１９が形成されている。そして、残余の補高脚１２が生じた場合には、該補高脚保持部１９を用いて該残余の補高脚１２を台本体１１に保持することができるようになっている。
なお、補強梁１６は、補高脚保持部１９を形成するスリーブ体１７に繋がるのみならず、補高脚取付部１５を形成する第１取付筒１３にも繋がっている。このため、補強梁１６、補高脚取付部１５及び補高脚保持部１９は、これら全体で台本体１１を好適に補強している。また一方、補高脚保持部１９は、補強梁１６の間において、これら補強梁１６によって好適に支持されている。
【０００９】
図３（ａ）は、台本体１１を短手方向に沿って破断した場合における補高脚取付部１５の断面図であり、図３（ｂ）は、台本体１１を長手方向に沿って破断した場合における補高脚取付部１５の断面図である。該補高脚取付部１５を形成するスリーブ１４は、台本体１１の踏み板１１ａ側となる一端が閉塞された筒状に形成されている。該スリーブ１４の閉塞された一端には、外方へ向かって接続部２１が突設されている。また、該接続部２１と対応する位置において、踏み板１１ａの下面には接続突起２２が突設されている。そして、該接続突起２２に該接続部２１が接続されることにより、該スリーブ１４は、第１取付筒１３内に固定されている。
該スリーブ１４内には、開口された他端部が他箇所に較べて拡径されることにより、係止段差部２３が形成されている。該スリーブ１４内において、一端部の内周面には係合段部２４が突設されている。該係合段部２４は、平面視で円弧状をなすように形成されており、合わせて一対が該スリーブ１４内で互いに対向するように設けられている。そして、これら係合段部２４の間には、縦凹溝２５が設けられている。また、係合段部２４の上面には、係止凹溝２４ａが形成されている。
【００１０】
図４（ａ）は、台本体１１を短手方向に沿って破断した場合における補高脚保持部１９の断面図であり、図４（ｂ）は、台本体１１を長手方向に沿って破断した場合における補高脚保持部１９の断面図である。該補高脚保持部１９を形成するスリーブ体１７は、台本体１１の踏み板１１ａ下面から筒状に延設されている。また、該補高脚保持部１９においては、該踏み板１１ａを貫通するようにしてスリット１９ａが形成されるとともに、スリット１９ａの下縁が該スリーブ体１７の上縁を超えて内面まで達することにより、該スリーブ体１７の内面に係合段部２４が設けられている。さらに、該係合段部２４の上面には、係止凹溝２４ａが形成されている。加えて、該補高脚保持部１９内には、該スリーブ体１７の周壁が他箇所に較べて薄肉とされることにより、縦凹溝２５が設けられている。
【００１１】
図５（ａ），（ｂ）は、補高脚１２を台本体１１の長手方向から見た状態の正面図とその断面図であり、図５（ｃ），（ｄ）は、補高脚１２を台本体１１の短手方向から見た状態の正面図とその断面図である。
該補高脚１２は、挿入筒部３０と、該挿入筒部３０の下側に拡径形成されている収納筒部３１と、該収納筒部３１の下側に更に拡径形成されている脚筒部３２とからなる。該挿入筒部３０の上端には、係合フランジ３３が突設されている。該収納筒部３１の上面において、該挿入筒部３０の周縁で係合フランジ３３に相対する二箇所からは、該収納筒部３１の内周に切欠き部が設けられることにより、係合スリット３４が形成されている。そして、これら係合スリット３４の間には、縦凹溝２５が形成されている。さらに、脚筒部３２の下端には、合成ゴム等からなる滑止めキャップ３５が装着されている。また、係合フランジ３３の下面には、係止突部３３ａが突設されるとともに、係合スリット３４の内底面上において、該係止突部３３ａと対応する位置には係止凹溝３４ａが形成されている。
【００１２】
図６（ａ）に示すように、補高脚１２を補高脚取付部１５に取り付ける場合、まず係合フランジ３３を縦凹溝２５に合わせるようにして、挿入筒部３０をスリーブ１４下縁から挿入した後、該挿入筒部３０の上縁をスリーブ１４の内面に押し当てつつ、該補高脚１２を回動させる。すると、図６（ｂ）に示すように、係合フランジ３３は、縦凹溝２５から係合段部２４に導かれ、該係合段部２４に係合されるとともに、係合フランジ３３の係止突部３３ａが係合段部２４の係止凹溝２４ａに入り込むことにより、補高脚１２が補高脚取付部１５に取り付け固定される。
なお、係止突部３３ａ及び係止凹溝２４ａにより、補高脚取付部１５に対する補高脚１２の回動が抑制されている。従って、踏み台昇降運動時の衝撃、振動などによって補高脚１２が任意に回動し、補高脚取付部１５から外れやすくなることを抑制することができる。また、係止段差部２３に収納筒部３１の上面が当接され、さらにスリーブ１４の下縁に脚筒部３２上面が当接されることにより、台本体１１から加わる加重を補高脚１２によって好適に受けることができる。
【００１３】
図７（ａ）に示すように、複数の補高脚１２を積み重ねる場合、上段の補高脚１２の収納筒部３１内に下段の補高脚１２の挿入筒部３０を挿入する。このとき、該挿入筒部３０の係合フランジ３３は、該収納筒部３１の縦凹溝２５を通過させる。そして、図７（ｂ）に示すように、該下段の補高脚１２を回動させると、該挿入筒部３０の係合フランジ３３が上段の補高脚１２の収納筒部３１の係合スリット３４に係合し、係合フランジ３３の係止突部３３ａが係合スリット３４の係止凹溝３４ａに入り込んで、上下の補高脚１２同士が連結定される。
なお、係止突部３３ａ及び係止凹溝３４ａの係合関係は、連結された上下一対の補高脚１２において、一方が他方に対して任意に回動することを抑制し、補高脚１２同士の連結が解除されることを抑制している。
【００１４】
図８（ａ）に示すように、残余の補高脚１２を補高脚保持部１９に保持させる場合、まず係合フランジ３３を縦凹溝２５に合わせるようにして、挿入筒部３０をスリーブ体１７の下縁から挿入した後、該補高脚１２を回動させる。すると、図８（ｂ）に示すように、係合フランジ３３が縦凹溝２５から係合段部２４に導かれて該係合段部２４に係合されることにより、補高脚１２が補高脚保持部１９に保持される。また、係合フランジ３３の係止突部３３ａは、係合段部２４の係止凹溝３４ａに入り込み、補高脚保持部１９に対する補高脚１２の回動を抑制する。
従って、残余の補高脚１２は、台本体１１とともに保管されるようになっており、該残余の補高脚１２の紛失を防止することができ、さらに該残余の補高脚１２の保管のためのスペースを確保する必要がない。また、補高脚保持部１９は、複数個が設けられており（図２参照、この実施形態では１６個）、踏み台１０の高さ調整に必要とされる十分な個数の補高脚１２を保持することが可能である。さらに、係止突部３３ａ及び係止凹溝２４ａによって補高脚保持部１９に対する補高脚１２の回動が抑制されているため、該補高脚保持部１９に補高脚１２を保持したまま踏み台昇降運動を行っても、該運動時の衝撃、振動などによって補高脚１２が任意に回動し、補高脚保持部１９から脱落することを抑制することができる
【００１５】
なお、補高脚保持部１９は、上記実施形態のような構成とすることに限らず、例えばスリーブ体１７内に磁石を固定して補高脚保持部１９を形成するとともに、補高脚１２にも磁石を取り付け、これら磁石の磁力によって補高脚保持部１９に補高脚１２を保持してもよい。また、スリーブ体１７内にリング体を嵌め込むことにより、補高脚保持部１９を形成してもよい。この場合、補高脚１２の係合フランジ３３は、リング体の上縁に係合されることとなる。また、縦凹溝２５は、リング体の周壁の一部を薄肉とすることで設けられる。また、上記踏み台１０においては、補高脚取付部１５に補高脚１２を嵌着することなく、全ての補高脚１２を補高脚保持部１９に保持してもよい。つまり、補高脚取付部１５に嵌着する補高脚１２の個数を０個としてもよく、この場合の踏み台１０の高さが最も低い状態となる。また、補高脚取付部１５に嵌着する補高脚１２の個数を０個とする場合、該補高脚取付部１５に滑止めキャップ３５のみを取り付けてもよい。
【図面の簡単な説明】
【００１６】
【図１】昇降運動用踏み台の概略構成を示す斜視図。
【図２】台本体を示す底面図。
【図３】（ａ）,（ｂ）は補高脚取付部を示す断面図。
【図４】（ａ）,（ｂ）は補高脚保持部を示す断面図。
【図５】（ａ）,（ｂ）は補高脚を示す正面図及びその断面図、（ｃ）,（ｄ）は補高脚を示す側面図及びその断面図。
【図６】（ａ）,（ｂ）は補高脚取付部に補高脚を取り付ける状態を示す断面図。
【図７】（ａ）,（ｂ）は補高脚同士を連結する状態を示す断面図。
【図８】（ａ）,（ｂ）は補高脚保持部に補高脚を保持する状態を示す断面図。
【符号の説明】
【００１７】
１０  踏み台
１１  台本体
１２  補高脚
１４  スリーブ
１５  補高脚取付部
１７  スリーブ体
１９  補高脚保持部
２４  係合段部
２５  縦凹溝
３０  挿入筒部
３１  収納筒部
３２  脚筒部
３３  係合フランジ
３４  係合スリット
【図１】
0004801486.tif 000002
【図２】
0004801486.tif 000003
【図３】
0004801486.tif 000004
【図４】
0004801486.tif 000005
【図５】
0004801486.tif 000006
【図６】
0004801486.tif 000007
【図７】
0004801486.tif 000008
【図８】
0004801486.tif 000009